(57)【要約】【課題】  家庭ネットワークに動的なネット構成を実現する装置対等接続方法を設計する。【解決手段】  資源管理装置が存在しないネットワークにおける対等装置を管理するための家庭ネットワークにおける動的なネットワーク構成の実現時の装置対等接続方法において、接続発起装置が接続先装置に接続要求を発信するステップと、接続先装置が接続挑戦値をランダムに生成し、接続発起装置に送信するステップと、接続発起装置が接続挑戦値に基づき接続応答値を生成して、接続先装置に送信するステップと、接続先装置が接続応答値に基づいて接続発起装置に接続レスポンスメッセージを送信するステップと、接続発起装置が接続レスポンスメッセージに従って接続結果を判断し、接続レスポンスメッセージが成功である場合、接続先装置と接続発起装置とが対等接続を立てるステップとを備える。接続切断方法は、対等接続関係を立てられた何れかの装置から相手装置に接続切断要求メッセージを送信して、接続を切られるステップを備える。発起装置と先装置とは、互いにサービス提供装置とサービス使用装置とする。
2005539420.tif 000002
【特許請求の範囲】
【請求項１】
対等装置の接続立て方法と接続切断方法とを備える家庭ネットワークにおける動的なネットワーク構成の実現時の装置対等接続方法において、
対等接続を支持する必要なすべての装置に対して接続設置を行い、接続運行のための接続許可のユーザ名と、暗号の口座番号情報と、装置が許可する最大並行接続数とを含むものを配置することを備え、
前記の対等装置の接続立て方法は、
a.  家庭ネットワークにおける接続発起装置がネットワークにおける接続先装置に接続要求を発信するステップと、
b.  接続先装置が接続許可の接続発起装置に対して接続挑戦値をランダムに生成し、接続発起装置にこの接続挑戦値を送信するステップと、
c.  接続発起装置が、受信した接続挑戦値に基づき接続応答値を生成して、接続先装置に送信するステップと、
d.  接続先装置が、受信した接続応答値に基づいて、接続発起装置に接続応答メッセージを送信するステップと、
e.  接続発起装置が、受信した接続レスポンスメッセージに従って接続結果を判断し、接続結果OKというメッセージが接続レスポンスメッセージに含まれていれば、接続先装置と接続発起装置とが対等接続を立てるステップと、を備え、
前記の対等装置の接続切断方法は、
f.  接続発起装置または接続先装置が、相手装置に接続切断要求メッセージを送信するステップと、
g.  接続切断要求メッセージを受信した接続先装置または接続発起装置が、今度の接続が既に切られたと見なすステップと、を備えることを特徴とする家庭ネットワークにおける動的なネットワーク構成の実現時の装置対等接続方法。
【請求項２】
前記装置に対する接続設置は、装置の人間・機械会話インタフェースを介して直接に行われ、又は他の人間・機械会話インタフェースを有する装置により遠隔的に行われることを特徴とする請求項１に記載の家庭ネットワークにおける動的なネットワーク構成の実現時の装置対等接続方法。
【請求項３】
前記接続発起装置は、サービス提供装置またはサービス使用装置であり、前記接続先装置は、サービス使用装置またはサービス提供装置であることを特徴とする請求項１に記載の家庭ネットワークにおける動的なネットワーク構成の実現時の装置対等接続方法。
【請求項４】
前記ステップaにおける装置接続要求は、そのメッセージフィールドが、メッセージタイプと、メッセージシリアルナンバーと、ユーザ名称と、接続要求シリアルナンバーとを含むことを特徴とする請求項１に記載の家庭ネットワークにおける動的なネットワーク構成の実現時の装置対等接続方法。
【請求項５】
前記のステップbにおいて、前記接続許可は、現在、接続先装置と接続されている装置数が接続許可装置数の上限に達していないことを判断するステップと、接続先装置に接続発起装置のユーザ情報が存在することを判断するステップと、をさらに備えることを特徴とする請求項１に記載の家庭ネットワークにおける動的なネットワーク構成の実現時の装置対等接続方法。
【請求項６】
前記ステップbにおいて、接続先装置と接続する装置数が接続許可数の上限に達した場合、前記ステップeにおいて、接続先装置が、接続発起装置に接続結果がオーバーロードである接続レスポンスメッセージを送信し、
前記ステップbにおいて、接続先装置に接続発起装置のユーザ情報が存在しない場合、前記ステップeにおいて、接続先装置が、接続発起装置に接続結果がアクセス禁止である接続レスポンスメッセージを送信することを特徴とする請求項５に記載の家庭ネットワークにおける動的なネットワーク構成の実現時の装置対等接続方法。
【請求項７】
前記ステップbで送信する接続挑戦値メッセージは、メッセージタイプと、メッセージシリアルナンバーと、接続レスポンスメッセージシリアルナンバーと、接続結果と、身分認証アルゴリズム識別子と、挑戦値とを含むことを特徴とする請求項１に記載の家庭ネットワークにおける動的なネットワーク構成の実現時の装置対等接続方法。
【請求項８】
前記ステップcで送信する挑戦応答値メッセージは、メッセージタイプと、メッセージシリアルナンバーと、接続要求シリアルナンバーと、応答文字列からなる応答値とを含むことを特徴とする請求項１に記載の家庭ネットワークにおける動的なネットワーク構成の実現時の装置対等接続方法。
【請求項９】
前記ステップdにおける接続レスポンスメッセージは、そのメッセージフィールドが、メッセージタイプと、メッセージシリアルナンバーと、接続レスポンスメッセージシリアルナンバーと、接続結果とを含むことを特徴とする請求項１に記載の家庭ネットワークにおける動的なネットワーク構成の実現時の装置対等接続方法。
【請求項１０】
前記ステップdにおいて、接続先装置が、接続発起装置に接続成功情報を含む接続レスポンスメッセージを送信すると、接続先装置と接続発起装置とが、装置の現在接続数に１を加えることを特徴とする請求項１に記載の家庭ネットワークにおける動的なネットワーク構成の実現時の装置対等接続方法。
【請求項１１】
前記ステップbにおいて、前記接続先装置が、さらに接続挑戦値も保存し、前記ステップcにおいて、前記接続発起装置が、接続挑戦値に対応するキー情報を検索して、接続挑戦値と共に前記接続応答値を生成し、前記ステップdにおいて、接続先装置が、保存されている接続挑戦値及びこの接続挑戦値に対応するキーに従って、接続応答値の正確性を判断し、正確である場合は、接続発起装置に接続OKを含む接続応答メッセージを送信し、正確ではない場合は、接続発起装置にアクセス禁止を含む接続応答メッセージを送信することを特徴とする請求項１に記載の家庭ネットワークにおける動的なネットワーク構成の実現時の装置対等接続方法。
【請求項１２】
前記ステップeの後に、対等接続関係を立てた接続発起装置と接続先装置との間に、安全メカニズムの暗号化方法に従って伝送キーを生成して、以降のデータを伝送するために用いることを特徴とする請求項１に記載の家庭ネットワークにおける動的なネットワーク構成の実現時の装置対等接続方法。
【請求項１３】
前記ステップfにおける接続切断要求メッセージは、そのメッセージフィールドが、メッセージタイプと、メッセージシリアルナンバーと、接続切断原因とを含むことを特徴とする請求項１に記載の家庭ネットワークにおける動的なネットワーク構成の実現時の装置対等接続方法。
【請求項１４】
前記ステップf、gにおいて、接続先装置と接続発起装置とが、接続切断要求を送受信すると共に、自装置の現在加入されている接続数から１を減らすことをさらに備えることを特徴とする請求項１に記載の家庭ネットワークにおける動的なネットワーク構成の実現時の装置対等接続方法。
【発明の詳細な説明】
【技術分野】
【０００１】
本発明は、コンピュータネットワーク技術に関し、より適切的には、家庭ネットワーク環境において、動的なネットワーク構成、資源共用を実現する時の装置対等接続方法に関する。
【背景技術】
【０００２】
コンピュータ技術及びネットワーク技術の急激な発展並びに個人の家庭生活デジタル化、情報化に対する追求に伴って、家庭ネットワーク「E-Home」（それに係るのは、知的ホーム「Smart Home」、電子家庭「Electronic Home」、「e-Home」、デジタルファミリー「Digital Family」、ネットワークホーム「Network Home」、知的化ホーム「Intelligent Home」等をさらに有している）は、現在の流行な技術に発展されてきた。家庭ネットワーク技術は、家庭装置デジタル化を実現する中心技術であり、その技術があれば、家庭におけるすべての電気機器を動的に一体に接続し、いつでもどこでも装置間の接続・通信と情報の伝送を実現することができる。
【０００３】
家庭ネットワークの需要は、商業ネットワークとは全く異なり、例えば、別途に配線実装することが必要ではなく、簡単に使用でき、低コスト等の特徴がある。家庭装置の接続・通信に適した従来のネットワーク技術、例えば、「HomePNA」は、各家庭に既に配線された電話回線を用いて、電話の正常な動作に影響を与えずに、デジタル装置の接続・通信を簡単に実現することができる。また、電力回線にてネットワークを構成し、家庭内において舗設された電力回線上で信号及びデータを伝送することによって、家庭電気機器の自動化制御を容易に実現する。
【０００４】
図１に、主に、メインネットと制御サブネットという両階層を含むデジタル家庭のネットワークシステムトポロジ構造を示す。家庭メインネットは、ネットワーク構成形態について、有線方式アクセス（有線メインネット）と無線方式アクセス（無線メインネット）の２つの部分を含む（無線携帯型装置の接続・通信を実現し、ユーザがいつでもどこでも情報をアクセスすることができるために、無線メインネットは、家庭メインネットの不可欠な一部である）。メインネットにおいて、通常、１つの家庭ネットワークサーバ１０１を有し、このサーバ１０１は、デジタル家庭の処理センタとメモリセンタとなる。サーバ１０１は、１台のＰＣ装置や専用サーバであってもよい。メインネットにおけるポータルゲートウェイ１０２は、家庭ネットワーク内部装置１０４及び携帯装置１０３の間の接続・通信と家庭のブロードバンドアクセスを実現するために用いられ、家庭メインネット中の装置１０３、１０４にインターネット１０５からの情報を共用させることができる。家庭メインネットは、家庭の情報／マルチメディアネットワークを構築し、情報装置、通信装置、娯楽装置などの接続・通信及び資源共用を実現する。家庭メインネットで伝送するデータは、主に文字、画像、オーディオ、ビデオ等である。
【０００５】
制御サブネットは、家庭用電気機器、自動化装置、安全（監視）装置などの装置（１０８）の接続・通信を実現することに用いられ、その構築は、家庭自動化を実現する上で重要な前提である。制御サブネットで伝送するデータは、主に装置についての各種類の制御命令及び装置の状態データである。制御サブネットにおける制御ゲートウェイ１０６は、各種類の家庭装置１０８の接続・通信を実現する一方、制御サブネットとメインネットとの接続・通信を実現するとともに、リモート電話警報と電話リモート制御（公衆電話交換網PSTN１０７にて実現する）に外部インタフェースを提供する。
【０００６】
家庭メインネットとInternet１０５との通信は、二段階に分けられる。その１つは、ユーザが遠隔にInternetを介して家庭メインネットにおけるサービスを呼び出すことであり、もう１つは、ユーザが家庭メインネットを介してInternet上のサービスをアクセスすることである。
【０００７】
家庭メインネットと家庭制御サブネットとの通信は、制御ゲートウェイ１０６により実現される。制御ゲートウェイ１０６は、メインネットと制御サブネットとの間のプロトコル変換を担当し、制御サブネット中のサービスを家庭メインネット中のサービスで表現し、制御サブネット中の装置及びサービスに対する操作を制御ゲートウェイ１０６上の係るサービスに対する操作に変換する。制御サブネットプロトコルにおいて、サービスの記述はXML言語に基づき記述される。制御サブネットにおけるサービスは、制御ゲートウェイ１０６の生成された該当XMLにより記述され、メインネットサービスとして制御ゲートウェイ１０６に登録する。
【発明の開示】
【発明が解決しようとする課題】
【０００８】
家庭ユーザに娯楽満足と安全安楽な家庭生活を自由に取得させるために、家庭内の多種で複雑な電気機器を有機的に接続・通信し、協力動作させなければならない。したがって、家庭ネットワークシステムのメインネットにおいて、装置同士の動的なネットワークを合理且つ有効的に構成して資源共用する方法（メインネットプロトコル）を設計することで、家庭メインネットの高速レート伝送、高品質なサービス、動的なネット構成及び有効な資源共用という目的を実現する。
【０００９】
本発明に係る、家庭ネットワーク範囲内で家庭内の各種類装置同士の動的なネット構成を支持するということは、ネットワークにおける装置が予め手動方式によりネットワークパラメータ配置を行う必要がなく、ネットワークから関連する装置を選択して一つの家庭ネットワークを動的に構成し、何れかの単一な装置では完成できない機能を実現し、又は何れかの単一な装置の元の機能を高めることに用いることを意味する。資源共用とは、ネットワーク中の装置が自分が提供した資源を公布できると共に、便利的に他の装置が提供した資源を検索して利用し、何れかの二つの装置間が直接通信と資源共用により単一な装置の機能を拡張するのを実現することを意味する。
【００１０】
家庭メインネットにおいて、装置同士の動的なネット構成と資源共用を実現する方法は、
（A）家庭メインネット装置をLAN（local area network）あるいは無線LAN上に接続させるステップと、
（B）装置がマルチキャスト方式で宣言メッセージを公布することによって当該装置の情報を宣言するステップと、
（C）装置が傍受または検索方式で他の装置の存在メッセージを取得するステップと、
（D）サービス提供装置或いはサービス使用装置が、１つの資源管理装置に登録することにより、資源管理装置と一緒に１つの家庭ネットワークを構成し、または１つ以上のサービス使用装置あるいはサービス提供装置が、対等接続方式により１つの家庭ネットワークを構成するステップと、
（E）家庭ネットワークに加入したサービス使用装置が、資源管理装置にサービス検索要求を送信することによって、家庭ネットワーク内のサービス提供装置のサービス情報を取得し、サービス使用装置が、サービス提供装置にサービス賃借り要求とサービス呼出要求を送信することによって、サービス使用の権利を得てサービス提供装置が提供するサービスを使用し、または、サービス使用装置が、これと対等接続関係を立てたサービス提供装置にサービス検索要求と、サービス賃借り要求と、サービス呼出要求とを送信することによって、このサービス提供装置のサービス情報と、サービス使用の権利とを取得して、サービス提供装置が提供するサービスを使用するステップと、を備える。
【００１１】
前記技術案のステップDにおけるサービス使用装置やサービス提供装置が対等接続方式にて家庭ネットワークを構成する実現プロセスは、実際的に、本発明が解決しようとする動的なネット構成の装置対等接続方法である。
【００１２】
本発明は、家庭範囲内において、家庭ネットワークのメインネットを動的に生成する及び資源共用するために、前提条件を用意する家庭ネットワークに動的なネット構成を実現する装置対等接続方法を設計する、すなわち、装置の対等接続を実現するために接続方法を設計することを目的とする。
【課題を解決するための手段】
【００１３】
本発明の方法に係る家庭メインネットのメンバーは、情報装置、通信装置及び娯楽装置などを備え、プロトコルゲートウェイの方法により、ある家庭用電気機器、例えば冷蔵庫、洗濯機、テレビ、音響等と通信できる。従って、本発明の方法に係る装置は、サービス提供やサービス受け入れのキャリアを指す。
【００１４】
本発明に係るサービスとは、装置上で使用する、メインネットプロトコルに定義される標準インタフェースにおいて満足する機能実体を指す。
【００１５】
本発明に係る資源管理装置とは、ネットワーク中の装置が登録とサービス索引を行う機能を提供可能な装置を指す。
【００１６】
本発明に係るサービス提供装置とは、ネットワーク中の他の装置のためにサービスを提供する装置を指す。
【００１７】
本発明に係るサービス使用装置とは、ネットワーク中の他の装置によって提供されるサービスを使用する装置を指す。
【００１８】
本発明に係るマルチキャスト方式とは、1つの送信装置が１グループの指定された受信装置に情報を送信するものであり、本発明に係るユニキャスト方式とは、1つの送信装置が1つの指定された受信装置に情報を送信するものである。
【００１９】
本発明の目的を実現するための技術案は、対等装置の接続立て方法と接続切断方法とを備える家庭ネットワークにおける動的なネットワーク構成の実現時の装置対等接続方法において、
対等接続を支持する必要なすべての装置に対して接続設置を行い、接続運転のための接続許可のユーザ名と、暗号の口座番号情報と、装置が許可する最大並行接続数とを含むものを配置することを備え、
前記の対等装置の接続立て方法は、
a.  家庭ネットワークにおける接続発起装置が、ネットワークにおける接続先装置に接続要求を発信するステップと、
b.  接続先装置が、接続許可の接続発起装置に対して、接続挑戦値をランダムに生成し、接続発起装置にこの接続挑戦値を送信するステップと、
c.  接続発起装置が、受信した接続挑戦値に基づき接続応答値を生成して、接続先装置に送信するステップと、
d.  接続先装置が、受信した接続応答値に基づいて、接続発起装置に接続応答メッセージを送信するステップと、
e.  接続発起装置が、受信した接続レスポンスメッセージに従って接続結果を判断し、接続結果OKというメッセージが接続レスポンスメッセージに含まれていれば、接続先装置と接続発起装置とが対等接続を立てるステップと、を備え、
前記の対等装置の接続切断方法は、
f.  接続発起装置または接続先装置が、相手装置に接続切断要求メッセージを送信するステップと、
g.  接続切断要求メッセージを受信した接続先装置または接続発起装置が、今度の接続が既に切られたと見なすステップと、を備えることを特徴とする。
【００２０】
前記ステップbにおいて、前記接続先装置は、さらに接続挑戦値も保存し、前記ステップcにおいて、前記接続発起装置が接続挑戦値に対応するキー情報を検索して、接続挑戦値と共に前記接続応答値を生成し、前記ステップdにおいて、接続先装置が、保存されている接続挑戦値及びこの接続挑戦値に対応するキーに従って、接続応答値の正確性を判断し、正確である場合、接続発起装置に接続OKを含む接続応答メッセージを送信し、正確ではない場合、接続発起装置にアクセス禁止を含む接続応答メッセージを送信する。
【００２１】
前記接続発起装置が、サービス提供装置やサービス使用装置であり、前記接続先装置が、サービス使用装置やサービス提供装置である。
【００２２】
本発明の方法は、ネットワークにおける装置が、装置発見プロトコルにより他の装置及びそのサービスを検索してもよいし、サービス使用装置が、発見したサービス提供装置に装置接続立て要求を発信して、対等接続をたててもよい。
【００２３】
サービス提供装置は、サービス使用装置が発信した装置接続立て要求を受信してから、接続立て応答メッセージを与える。
【００２４】
サービス使用装置とサービス提供装置との間に対等接続関係を立てた後、安全メカニズムの暗号化方法に従って伝送キーを生成して、以降のデータを伝送するために用いる。
【００２５】
サービス使用装置が、サービス提供装置と対等接続関係を立てた後、サービス提供装置にサービス検索プロセスを発起して、サービス提供装置の詳細なサービス情報を取得し、サービス提供装置にサービス賃借りプロセスを発起して、サービスを使用する権利を取得し、またサービス提供装置にサービス呼出要求を発起して、サービスを使用する。
【００２６】
サービス使用装置が、サービス提供装置のサービスを必要がない時に、いつでもサービス提供装置との接続を切ってもよく、１つの対等接続関係におけるサービス提供装置が、いつでもサービス使用装置との接続を切ってもよい。
【発明の効果】
【００２７】
家庭ネットワークにおいて、本発明の装置対等接続方法を適用することで、簡単に資源管理装置の存在しないネットワーク範囲にいずれかの対等装置同士の動的なネット構成を実現することができる。
【発明を実施するための最良の形態】
【００２８】
家庭ネットワークの中心思想は、装置の接続・通信、資源共用を動的に実現することである。ネットワークにメイン制御装置、すなわち資源管理装置が存在する時、メイン制御装置により、ネットワークにおける各種類の他の装置の登録及び削除のプロセスに対して、装置の集中管理を実現することができる。しかし、すべての家庭ネットワーク環境に１つの固定な資源管理装置が存在するとは限らないので、本発明の方法は、資源管理装置の存在しない家庭ネットワーク環境において、対等装置同士の対等接続メカニズムにより、装置の管理を簡単に行い、装置の接続・通信と資源共用を実現することに適用する。
【００２９】
本発明の装置対等接続方法の説明を簡単にするために、図１に示した家庭ネットワーク構成を図２に示した構成に簡素化する。
【００３０】
図２を参照すると、家庭電気機器は、複数の対等の情報装置、例えば同図に示した第１の対等装置２１、第２の対等装置２２、第３の対等装置２３及び第４の対等装置２４を備えている。対等装置は、サービス提供装置であってもよいし、サービス使用装置であってもよい。対等接続する家庭ネットワークに資源管理装置は存在しない。
【００３１】
本発明に係る方法において、対等装置接続をする時に、１つの接続発起装置と１つの接続先装置がある。そのうち、接続先装置は、接続発起装置に指定される。これらの装置は共に１つのソフトウェアを付加する必要があり、各装置の当該ソフトウェアにより相互通信を達成することで、対等接続を実現する。
【００３２】
装置接続の前に、装置発見プロセスがある。装置発見プロセスは、接続発起装置と接続先装置との間に発生し、接続発起装置は、装置発見プロセスを通して接続先装置を発見した後、装置接続プロセスが開始することが可能になる。
【００３３】
従来技術の如く、動的なネット構成と資源共用を実現する方法において、ステップB、Cは装置発見プロセスであり、装置宣言と装置検索の２つのプロセスを含む。
【００３４】
家庭ネットワークにおける装置は、起動する時、その装置上で実行するソフトウェアが、装置宣言方法によってマルチキャスト方式でネットワークに自分の存在情報及び自分に関する安全需要情報を宣言する。ネットワークにおける装置は、このような装置宣言情報（装置タイプ、装置IPアドレス及び装置の提供できるサービス情報を含む）を傍受することで、他の装置の存在情報を取得できる。また、ネットワークにおける装置は、マルチキャストにて装置検索情報を送信し、マルチキャスト検索情報を受信した装置は、自分の条件がその検索要求中の検索条件を満足する時、ユニキャスト方式で自身の宣言情報を返信してもよい。このような装置宣言及び装置検索ステップによって、家庭ネットワークのすべての装置は、互いに相手の存在を発見することができる。
【００３５】
図３を参照する。図３に示す各ステップは、対等装置の接続プロセスを示す。接続発起装置が接続先装置に装置接続要求を発信してから接続プロセスが開始される。
【００３６】
サービス提供装置の安全属性（装置宣言に設定している）が認証の必要がないと設定されていれば、サービス提供装置は、何れかのサービス使用装置の接続立て要求を許可して、サービス使用装置に接続立て応答メッセージを送信する。
【００３７】
サービス提供装置の安全策略（装置宣言に設定している）が認証の必要があると設定されていれば、サービス提供装置と接続立てを要求するサービス使用装置とは、図３に示すステップに従う必要がある。その完全な装置接続プロセスは、キー配置及び接続要求送信、接続要求処理、接続挑戦値送信、接続挑戦値処理、接続応答値送信、接続応答値処理、接続レスポンス値送信及び接続レスポンス値処理という８つのステップを備える。
【００３８】
ステップ１を実行する前に、装置情報設置とキー設置をする必要がある。家庭ネットワーク管理者は、すべての、対等接続を支持する必要となる装置（接続発起装置と接続先装置）のため、接続設置を行い、すべての装置のため、接続許可する、ユーザ名と暗号とを含む口座番号情報を配置することを備える。装置自身が人間・機械会話インタフェースを有する場合は、人間・機械会話インタフェースを介して設置し、人間・機械会話インタフェースがない装置について、人間・機械会話インタフェースを有する装置によりそれを遠隔設置する。また、各装置のために、許可される最大並行送信の接続数を設置することが必要となる。
【００３９】
ステップ１は、キー配置と接続要求送信であり、接続発起装置（例えば、サービス使用装置）から接続先装置（例えば、サービス提供装置）に送信され、装置接続プロセスが開始される。
【００４０】
接続発起装置が接続先装置に送信する装置接続要求情報は、メッセージタイプ、メッセージシリアルナンバー、ユーザ名称及び接続要求シリアルナンバーの計四つのフィールドを含み、各フィールド名と内容及び取り得る数値範囲との関係は、次表に示すようになる。
【００４１】
【表１】
2005539420.tif 000003
【００４２】
ステップ２は、接続要求処理であり、接続先装置により処理される。接続先装置は、接続発起装置の接続要求を受信した時、まず現在の、本接続先装置と接続している接続発起装置の数が接続許可数の上限値になったか否かを判断し、上限値になっていれば、以降のステップに接続結果がオーバーロード（OVERLOAD）である接続レスポンスメッセージを返信し、今度の装置接続プロセスを完了する。上限値になっていなければ、装置接続要求に表明されたユーザ情報に従って、さらに本接続先装置にこの接続発起装置のユーザ情報が存在するか否かを判断し、存在しなければ、接続結果がアクセス禁止（ACCESSDENIED）である接続レスポンスメッセージを返信し、存在する場合は、長さが３２ビットである挑戦値をランダムに生成して、その上、接続挑戦値メッセージを生成し、接続発起装置に送信し用意すると共に、挑戦値を保存して、以降（例えば比較するためにレスポンス値の到達を待つ）に使用する。
【００４３】
ステップ３は、接続挑戦値送信であり、接続先装置から接続発起装置に接続挑戦値を送信する。
【００４４】
接続挑戦値送信のプロセスは、つまりサービス提供装置がサービス使用装置に接続立てレスポンスメッセージを送信するものであり、このレスポンスメッセージに接続結果が含まれ、サービス使用装置は、結果に基づき該当する以降の処理を行う。レスポンスメッセージは、サービス提供装置が使用する身分認証アルゴリズム識別子IDとサービス提供装置にランダムに選択された挑戦値（Challenge Value）とを含む。接続立てレスポンスメッセージの各フィールド名称、内容及び取り得る数値範囲は次の表に示すようになる。
【００４５】
【表２】
2005539420.tif 000004
【００４６】
ステップ４は、接続挑戦値処理であり、接続発起装置により処理される。接続要求を送信する装置は、接続挑戦値メッセージを受信してから、本体の装置に挑戦値に応じたキー情報が存在するか否かを検索し、存在しなければ、今回の接続は失敗となり、今回の接続プロセスが完了する。存在する場合は、挑戦値とキー（接続発起装置が身分認証アルゴリズム識別子IDとChallenge Valueを受信した後、自分のキーKeyを使用してChallenge Valueを暗号化する）に従い、安全メカニズムに基づき応答値（レスポンス値Response）を生成して接続先装置に送信すべきである。
【００４７】
ステップ５は、接続応答値送信であり、接続発起装置は接続応答値を生成してから、接続先装置に送信する。この接続応答メッセージは、メッセージタイプ、メッセージシリアルナンバー、接続要求シリアルナンバー及び応答値の計四つのフィールドを含み、各フィールド名と内容及び取り得る数値範囲との関係は、次の表に示したようになる。
【００４８】
【表３】
2005539420.tif 000005
【００４９】
ステップ６は、接続応答値処理であり、接続先装置により処理される。接続先装置は、接続発起装置から送信された接続応答値を受信してから、元の保存されている挑戦値及び該当のキーに基づきこの応答値が正確か否かを判断し、正確であれば、接続発起装置に接続OKを含む接続レスポンスメッセージを送信し、そうでなければ、キーエラーメッセージを含む接続レスポンスメッセージを送信する。具体的なプロセスでは、接続先装置は接続発起装置が宣言されるIDに応じた共用キーKeyIDを利用して、Challenge Valueを複号化し、Response=Encrypt（KeyID, Challenge Value）であれば、この接続立てを許可すると共に、接続発起装置に立て成功レスポンスを発信して、接続する環境条件を作成し、Response〈〉Encrypt（KeyID,Challenge Value）であれば、この接続立てを許可せず、同時にサービス使用装置に接続立て失敗のレスポンスを発信して、この装置に対応する情報を削除する。
【００５０】
接続先装置は、今回の接続が成功すると判断すれば、接続されている両装置の現在の接続数を増加すべきである。
【００５１】
そのうち、キーの配置及び応答値の正確判断は、安全メカニズムに従って操作すべきである。
【００５２】
ステップ７は、接続レスポンスメッセージ送信であり、接続先装置から接続発起装置に送信する。接続先装置は、応答値処理の結果により接続レスポンスメッセージを送信する。この接続レスポンスメッセージは、メッセージタイプ、メッセージシリアルナンバー、接続レスポンスメッセージシリアルナンバー及び接続結果の計四つのフィールドを含み、各フィールド名と内容及び取り得る数値範囲との関係は、次の表に示したようになる（表中の登録結果は成功、オーバーロード、アクセス禁止、認証要求であってもよい）。
【００５３】
【表４】
2005539420.tif 000006
【００５４】
ステップ８は、接続レスポンスメッセージ処理であり、接続発起装置により処理される。接続要求発起装置は、接続レスポンスメッセージを受信してから、接続結果から、今回の接続が成功するか否かを判断することができる。
【００５５】
二つの装置は、接続関係を立てた後、いつでも接続切断を行うことができる。接続切断は、接続切断要求と接続切断要求メッセージ処理という２つのステップを備え、そのうちの接続切断要求は、立てられた接続を切るように何れかの装置（接続発起装置や接続先装置）からもいつでも相手装置に接続切断要求を発起することができる。送信する接続切断要求は、メッセージタイプ、メッセージシリアルナンバー及び接続切断原因（正常や誤り）の計３つのフィールドを含み、各フィールド名と内容及び取り得る数値範囲との関係は、次の表に示したようになる。
【００５６】
【表５】
2005539420.tif 000007
【００５７】
偽造の装置接続切断要求が出現しないことを保証するために、装置接続切断要求送信は、安全メカニズムの暗号化方法に基づいて伝送されるべきである。
【００５８】
接続切断メッセージ処理は、接続関係が立てられた装置のうちの何れかの装置が相手装置の接続切断要求を受信した時に、今回の接続が既に切られたと見なし、この時、両方の装置は、本装置の現在加入している接続数を減少する。
【００５９】
本発明の方法において、家庭メインネットプロトコルに合わせて、対等接続システムによりネットワーク内の装置を管理し、異なる装置同士の接続と切断を達成して、家庭ネットワーク範囲において資源管理装置が存在しない場合の動的なネット構成と資源共用を実現することができる。
【図面の簡単な説明】
【００６０】
【図１】デジタル家庭ネットワークシステムのトポロジ構造を示す図である。
【図２】家庭ネットワーク装置管理において、装置対等接続をする時のネットワーク構造を示す概略図である。
【図３】本発明の方法における装置対等接続プロセスを示すブロック図である。
【図１】
2005539420.tif 000008
【図２】
2005539420.tif 000009
【図３】
2005539420.tif 000010
【国際調査報告】
2005539420.tif 000011
2005539420.tif 000012
2005539420.tif 000013
2005539420.tif 000014